(57)【要約】  画像形成装置（３０）は、複数の情報処理装置（１０）から送信される印刷ジョブを予め定められた実行順序に従って実行する印刷処理部（３９２）と、自装置から予め定められた特定範囲における人の存否を検出する人検出部（３９３）と、人検出部（３９３）により人の存在が検出された場合に人検出部（３９３）により検出された人に対応する第１印刷ジョブを特定するジョブ特定部（３９４）と、ジョブ特定部（３９４）により特定された前記第１印刷ジョブの送信元の第１情報処理装置と予め設定されたグループが同一である一又は複数の第２情報処理装置から送信された第２印刷ジョブの有無を検出するジョブ検出部（３９５）と、検出された前記第２印刷ジョブの存在を報知する報知処理部（３９６）とを備える。
2017057343.tif 000002
【特許請求の範囲】
【請求項１】
複数の情報処理装置から送信される印刷ジョブを予め定められた実行順序に従って実行する印刷処理部と、
自装置から予め定められた特定範囲における人の存否を検出する人検出部と、
前記人検出部により人の存在が検出された場合に、前記印刷ジョブのうち前記人検出部により検出された人に対応する第１印刷ジョブを特定するジョブ特定部と、
前記印刷ジョブのうち前記ジョブ特定部により特定された前記第１印刷ジョブの送信元の第１情報処理装置と予め設定されたグループが同一である一又は複数の第２情報処理装置から送信された第２印刷ジョブの有無を検出するジョブ検出部と、
前記ジョブ検出部により前記第２印刷ジョブが検出された場合に、前記第２印刷ジョブの存在を報知する報知処理部と、
を備える画像形成装置。
【請求項２】
前記報知処理部が、前記第２印刷ジョブの実行順序及び前記第２印刷ジョブの送信元の前記第２情報処理装置の識別情報のいずれか一方又は両方を更に報知する請求項１に記載の画像形成装置。
【請求項３】
前記ジョブ特定部が、前記印刷処理部で実行されているジョブを前記第１印刷ジョブとして特定する請求項１に記載の画像形成装置。
【請求項４】
前記人検出部が、前記特定範囲において予め自装置に端末識別情報が記憶された携帯端末が検出された場合に、前記特定範囲において人が存在すると判断し、
前記ジョブ特定部が、前記人検出部により検出された前記携帯端末に対応付けて予め設定された前記情報処理装置から送信された前記印刷ジョブを前記第１印刷ジョブとして特定する請求項１に記載の画像形成装置。
【請求項５】
前記ジョブ特定部が、ユーザー情報を取得する情報取得部を含み、前記情報取得部によって取得される前記ユーザー情報に対応付けて予め設定された前記情報処理装置から送信された前記印刷ジョブを前記第１印刷ジョブとして特定する請求項１に記載の画像形成装置。
【請求項６】
前記ジョブ検出部により検出された一又は複数の前記第２印刷ジョブの実行順序を前記第１印刷ジョブの前又は後に連続して実行される順位に変更可能な順位変更処理部を更に備える請求項１に記載の画像形成装置。
【請求項７】
前記順位変更処理部が、前記第２印刷ジョブの実行順序の変更の有無をユーザー操作に応じて切替可能である請求項６に記載の画像形成装置。
【請求項８】
前記順位変更処理部により前記第２印刷ジョブの実行順序が変更された場合に、前記第２印刷ジョブの送信元の前記第２情報処理装置に前記第１印刷ジョブの送信元の前記第１情報処理装置の識別情報を報知する変更報知部を更に備える請求項６に記載の画像形成装置。
【請求項９】
前記ジョブ検出部により検出された前記第２印刷ジョブが親展印刷ジョブである場合に、ユーザー操作に応じて前記親展印刷ジョブの送信元の前記第２情報処理装置に前記第１印刷ジョブの送信元の前記第１情報処理装置の識別情報を報知すると共に前記親展印刷ジョブの実行許可を要求する許可要求部を更に備え、
前記印刷処理部が、前記情報処理装置から送信される前記印刷ジョブが前記親展印刷ジョブである場合には、予め定められたジョブ認証情報の入力及び前記許可要求部による前記親展印刷ジョブの実行許可の取得のいずれかの実行条件が充足されるまでの間は前記親展印刷ジョブの実行を保留する請求項１に記載の画像形成装置。
【請求項１０】
前記印刷処理部が、前記第２印刷ジョブの実行により出力される印刷物を他の前記印刷ジョブの実行により出力される印刷物と区別可能な態様で出力する請求項１に記載の画像形成装置。
【請求項１１】
複数の情報処理装置から送信される印刷ジョブを予め定められた実行順序に従って実行する第１ステップと、
自装置から予め定められた特定範囲における人の存否を検出する第２ステップと、
前記第２ステップにより人の存在が検出された場合に、前記印刷ジョブのうち前記第２ステップにより検出された人に対応する第１印刷ジョブを特定する第３ステップと、
前記印刷ジョブのうち前記第３ステップにより特定された前記第１印刷ジョブの送信元の第１情報処理装置と予め設定されたグループが同一である一又は複数の第２情報処理装置から送信された第２印刷ジョブの有無を検出する第４ステップと、
前記第４ステップにより前記第２印刷ジョブが検出された場合に、前記第２印刷ジョブの存在を報知する第５ステップと、
を含む画像形成方法。
【発明の詳細な説明】
【技術分野】
【０００１】
本発明は、画像形成装置及び画像形成方法に関する。
【背景技術】
【０００２】
パーソナルコンピューターなどの情報処理装置から送信される印刷ジョブを受信して実行可能なプリンターのような画像形成装置が知られている（例えば、特許文献１参照）。例えば、この種の画像形成装置は、複数の情報処理装置と接続されて、複数の情報処理装置各々から送信される印刷ジョブを受信された順に従って実行する。
【先行技術文献】
【特許文献】
【０００３】
【特許文献１】特開２０１０−２１４９１２号公報
【発明の概要】
【発明が解決しようとする課題】
【０００４】
ところで、情報処理装置各々のユーザーは、自己の印刷ジョブに対応する印刷物を回収するために個別に画像形成装置の設置位置まで行く必要がある。【０００５】
本発明の目的は、印刷物を回収するユーザーの手間を低減可能な画像形成装置及び画像形成方法を提供することにある。
【課題を解決するための手段】
【０００６】
本発明の一の局面に係る画像形成装置は、印刷処理部と、人検出部と、ジョブ特定部と、ジョブ検出部と、報知処理部とを備える。前記印刷処理部は、複数の情報処理装置から送信される印刷ジョブを予め定められた実行順序に従って実行する。前記人検出部は、自装置から予め定められた特定範囲における人の存否を検出する。前記ジョブ特定部は、前記人検出部により人の存在が検出された場合に、前記印刷ジョブのうち前記人検出部により検出された人に対応する第１印刷ジョブを特定する。前記ジョブ検出部は、前記印刷ジョブのうち前記ジョブ特定部により特定された前記第１印刷ジョブの送信元の第１情報処理装置と予め設定されたグループが同一である一又は複数の第２情報処理装置から送信された第２印刷ジョブの有無を検出する。前記報知処理部は、前記ジョブ検出部により前記第２印刷ジョブが検出された場合に、前記第２印刷ジョブの存在を報知する。【０００７】
本発明の他の局面に係る画像形成方法は、第１ステップ、第２ステップ、第３ステップ、第４ステップ、及び第５ステップを含む。前記第１ステップでは、複数の情報処理装置から送信される印刷ジョブが予め定められた実行順序に従って実行される。前記第２ステップでは、自装置から予め定められた特定範囲における人の存否が検出される。前記第３ステップでは、前記第２ステップにより人の存在が検出された場合に、前記印刷ジョブのうち前記第２ステップにより検出された人に対応する第１印刷ジョブが特定される。前記第４ステップでは、前記印刷ジョブのうち前記第３ステップにより特定された前記第１印刷ジョブの送信元の第１情報処理装置と予め設定されたグループが同一である一又は複数の第２情報処理装置から送信された第２印刷ジョブの有無が検出される。前記第５ステップでは、前記第４ステップにより前記第２印刷ジョブが検出された場合に、前記第２印刷ジョブの存在が報知される。
【発明の効果】
【０００８】
本発明によれば、印刷物を回収するユーザーの手間を低減可能な画像形成装置及び画像形成方法が実現される。
【図面の簡単な説明】
【０００９】
【図１】図１は、本発明の実施形態に係る画像形成装置を含む通信システムの構成を示すブロック図である。
【図２】図２は、本発明の実施形態に係る画像形成装置を示す図である。
【図３】図３は、本発明の実施形態に係る画像形成装置で実行される報知処理の一例を示すフローチャートである。
【図４】図４は、本発明の実施形態に係る画像形成装置の操作部に表示される表示画面の一例を示す図である。
【図５】図５は、本発明の実施形態に係る画像形成装置の操作部に表示される表示画面の一例を示す図である。
【図６】図６は、本発明の実施形態に係る画像形成装置の操作部に表示される表示画面の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［通信システム１００］
本発明の実施形態に係る画像形成装置３０を含む通信システム１００は、図１に示すように、複数の情報処理装置１０と、携帯端末２０と、画像形成装置３０とを備える。通信システム１００において、複数の情報処理装置１０各々及び画像形成装置３０は、通信ネットワーク４０を介して相互に通信可能に接続されている。
【００１２】
情報処理装置１０は、画像データを印刷する印刷ジョブを画像形成装置３０に実行させることが可能なパーソナルコンピューターなどの通信装置である。
【００１３】
携帯端末２０は、画像形成装置３０のユーザーによって持ち運ばれるスマートフォンなどの移動通信端末である。なお、携帯端末２０は、携帯電話、タブレット端末、ノートパソコン、又はＰＤＡなどであってもよい。
【００１４】
携帯端末２０は、画像形成装置３０との間で、無線によるデータ通信を実行することが可能である。例えば、携帯端末２０は、画像形成装置３０との間でＢｌｕｅｔｏｏｔｈ（登録商標）によって規定された所定の通信プロトコルに従って無線によるデータ通信を実行する。例えば、携帯端末２０は、クラス２と称される電波強度（２．５ｍＷ）で、携帯端末２０から約１０ｍの範囲に存在する画像形成装置３０との間でＢｌｕｅｔｏｏｔｈによる無線通信を実行可能である。なお、携帯端末２０は、画像形成装置３０との間で無線ＬＡＮの通信規格に従った無線通信を実行してもよい。
【００１５】
ここで、携帯端末２０では、予め画像形成装置３０との間で、Ｂｌｕｅｔｏｏｔｈ通信における通信相手の認証手続であるペアリングが実行されている。前記ペアリングでは、Ｂｌｕｅｔｏｏｔｈ通信を行う機器相互間で、通信相手の認証に必要となるペアリングＩＤが交換される。そして、前記ペアリングにより携帯端末２０が取得した画像形成装置３０の前記ペアリングＩＤが、携帯端末２０の備える記憶部に記憶されている。これにより、その後、携帯端末２０と画像形成装置３０との間でＢｌｕｅｔｏｏｔｈによる無線通信が可能である。
【００１６】
［画像形成装置３０の概略構成］
次に、図１及び図２を参照しつつ、本発明の実施形態に係る画像形成装置３０の概略構成について説明する。ここで、図２は画像形成装置３０の正面図である。
【００１７】
図１及び図２に示すように、画像形成装置３０は、ＡＤＦ３１、画像読取部３２、画像形成部３３、給紙カセット３４、シート排出装置３５、操作部３６、通信部３７、記憶部３８、及び制御部３９などを備える。画像形成装置３０は、原稿から画像データを読み取るスキャン機能、及び画像データに基づいて画像を形成するプリント機能と共に、ファクシミリ機能、又はコピー機能などの複数の機能を有する複合機である。また、本発明は、プリンター装置、ファクシミリ装置、及びコピー機などの画像形成装置に適用可能である。
【００１８】
ＡＤＦ３１は、原稿セット部、搬送ローラー、原稿押さえ、及び排紙部を備え、画像読取部３２によって読み取られる原稿を搬送する自動原稿搬送装置である。画像読取部３２は、原稿台、光源、ミラー、光学レンズ、及びＣＣＤ（Ｃｈａｒｇｅ  Ｃｏｕｐｌｅｄ  Ｄｅｖｉｃｅ）を備え、原稿から画像データを読み取ることが可能である。
【００１９】
画像形成部３３は、給紙カセット３４から供給されるシートに、画像読取部３２で読み取られる画像データ又は情報処理装置１０などから入力される画像データに基づいて画像を形成する電子写真方式の画像形成部である。具体的に、画像形成部３３は、感光体ドラム、帯電装置、光走査装置（ＬＳＵ）、現像装置、転写ローラー、クリーニング装置、及び定着ローラーなどを備える。
【００２０】
シート排出装置３５は、鉛直方向に並設された複数のシート排出トレイ３５１を備える。シート排出装置３５は、画像形成装置３０の制御部３９からの制御指示に従って、画像形成部３３による画像形成後のシートを複数のシート排出トレイ３５１のうち予め設定されるシート排出トレイ３５１に排出することが可能である。例えば、画像形成装置３０のユーザーごと又はユーザーの部署ごとに使用されるシート排出トレイ３５１が予め設定されていることが考えられる。
【００２１】
操作部３６は、操作画面などの各種の情報を表示すると共に、ユーザー操作を受け付けるタッチパネル３６１を備える。なお、操作部３６には、タッチパネル３６１の他にスタートキー等のハードキーも設けられている。また、操作部３６は、画像形成装置３０の外装部材によって回動可能に支持されている。例えば、操作部３６は、操作部３６の表面（タッチパネル３６１の表面）が鉛直面と平行になる第１姿勢（図１参照）とタッチパネル３６１が水平面と平行になる第２姿勢との間で回動可能である。
【００２２】
通信部３７は、画像形成装置３０に有線接続された通信ネットワーク４０を経由して、通信ネットワーク４０に接続される情報処理装置１０との間でデータ通信を実行可能である。
【００２３】
また、通信部３７は、携帯端末２０との間で、無線によるデータ通信を実行することが可能である。例えば、通信部３７は、携帯端末２０との間でＢｌｕｅｔｏｏｔｈによって規定された所定の通信プロトコルに従って無線によるデータ通信を実行する。例えば、通信部３７は、携帯端末２０と同様にクラス２の電波強度で、画像形成装置３０から約１０ｍの範囲に存在する携帯端末２０との間でＢｌｕｅｔｏｏｔｈによる無線通信を実行可能である。ここで、画像形成装置３０では、予め携帯端末２０との間で前記ペアリングが実行されており、携帯端末２０の前記ペアリングＩＤが記憶部３８に記憶されている。なお、通信部３７は、携帯端末２０との間で無線ＬＡＮの通信規格に従った無線通信を実行してもよい。
【００２４】
記憶部３８は、ＳＳＤ（ソリッドステートドライブ）又はＨＤＤ（ハードディスクドライブ）などの記憶部である。記憶部３８には、ユーザーの認証に用いられるユーザー名及びパスワードを含む認証情報が記憶されている。また、記憶部３８には、携帯端末２０の端末識別情報が記憶されている。例えば、前記端末識別情報は前記ペアリングＩＤである。また、前記端末識別情報は、画像形成装置３０及び携帯端末２０の間で無線ＬＡＮの通信規格に従った無線通信が実行される場合には、携帯端末２０のＭＡＣアドレス等であってもよい。
【００２５】
また、記憶部３８には、複数の情報処理装置１０各々の識別情報が記憶されている。例えば、前記識別情報は、情報処理装置１０のＭＡＣアドレス又はＩＰアドレスである。また、前記識別情報は、ユーザーによって設定された情報処理装置１０の名称であってもよい。
【００２６】
ここで、通信システム１００では、複数の情報処理装置１０が予め設定された複数のグループ各々にグループ分けされている。例えば、前記グループは、互いに設置位置が近い複数の情報処理装置１０ごとに設定される。また、前記グループは、情報処理装置１０のユーザーの所属する部署ごとに設定されてもよい。具体的に、画像形成装置３０では、情報処理装置１０の前記識別情報各々が、複数の前記グループのうちのいずれかに対応付けられて記憶部３８に記憶されている。
【００２７】
また、画像形成装置３０では、携帯端末２０の前記端末識別情報と情報処理装置１０の前記識別情報とが、互いに対応付けられて記憶部３８に記憶されている。また、画像形成装置３０では、前記認証情報と情報処理装置１０の前記識別情報とが、互いに対応付けられて記憶部３８に記憶されている。
【００２８】
制御部３９は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部３９では、前記ＣＰＵにより前記ＲＯＭに予め記憶された各種の制御プログラムが実行される。これにより、画像形成装置３０が制御部３９により統括的に制御される。なお、制御部３９は、集積回路（ＡＳＩＣ）などの電子回路で構成されたものであってもよく、画像形成装置３０を統括的に制御するメイン制御部とは別に設けられた制御部であってもよい。
【００２９】
また、制御部３９は、図１に示すように、認証処理部３９１及び印刷処理部３９２を含む。具体的に、制御部３９は、前記ＣＰＵを用いて前記ＲＯＭに記憶されている前記制御プログラムを実行する。これにより、制御部３９は、認証処理部３９１及び印刷処理部３９２として機能する。
【００３０】
認証処理部３９１は、予め設定された認証操作に応じてユーザーを認証するログイン処理を実行する。具体的に、認証処理部３９１は、操作部３６に前記認証操作を行うことが可能な認証画面を必要に応じて表示させる。そして、認証処理部３９１は、前記認証画面においてユーザーによる操作部３６に対するログイン情報の入力操作を受け付ける。前記ログイン情報は、ユーザー名及びパスワードである。
【００３１】
その後、認証処理部３９１は、操作部３６から入力された前記ログイン情報が記憶部３８に記憶されている前記認証情報に含まれている場合に認証完了と判断し、ユーザーを画像形成装置３０にログインさせる。なお、認証処理部３９１は、操作部３６に対するログアウト操作が行われた場合、予め設定された時間が経過した場合、又は他のユーザーをログインさせる場合に、現在ログイン中のユーザーをログアウトさせるログアウト処理を実行する。
【００３２】
印刷処理部３９２は、複数の情報処理装置１０から送信される印刷ジョブを予め定められた実行順序に従って実行する。例えば、画像形成装置３０では、複数の情報処理装置１０から送信される前記印刷ジョブ各々が通信部３７での受信順に記憶部３８に記憶される。そして、印刷処理部３９２は、記憶部３８に記憶された前記印刷ジョブ各々を記憶部３８への記憶順に読み出して順次実行する。なお、印刷処理部３９２は、実行が終了した前記印刷ジョブを記憶部３８から消去する。また、印刷処理部３９２は、情報処理装置１０から送信される前記印刷ジョブに優先度が設定されている場合には、前記印刷ジョブに設定された優先度に応じて前記印刷ジョブ各々の実行順序を決定してもよい。
【００３３】
また、印刷処理部３９２は、情報処理装置１０から送信される前記印刷ジョブが親展印刷ジョブである場合には、予め定められたジョブ認証情報の入力を含む実行条件が充足されるまでの間は、前記親展印刷ジョブの実行を保留する。例えば、前記ジョブ認証情報は、前記親展印刷ジョブに設定された暗証番号又はパスワードである。また、前記ジョブ認証情報は、前記認証情報であってもよい。即ち、印刷処理部３９２は、前記親展印刷ジョブの送信元の情報処理装置１０の前記識別情報に対応する前記認証情報によってログイン可能なユーザーが画像形成装置３０にログインした場合に、前記親展印刷ジョブを実行してもよい。
【００３４】
ところで、情報処理装置１０各々のユーザーは、自己の前記印刷ジョブに対応する印刷物を回収するために、個別に画像形成装置３０の設置位置まで行く必要がある。これに対し、本発明の実施形態に係る画像形成装置３０は、印刷物を回収するユーザーの手間を低減させることが可能である。
【００３５】
具体的に、制御部３９の前記ＲＯＭには、制御部３９の前記ＣＰＵに後述の報知処理（図３のフローチャート参照）を実行させるための報知プログラムが予め記憶されている。なお、前記報知プログラムは、ＣＤ、ＤＶＤ、フラッシュメモリーなどのコンピューター読み取り可能な記録媒体に記録されており、前記記録媒体から読み取られて記憶部３８等にインストールされてもよい。
【００３６】
そして、制御部３９は、図１に示すように、人検出部３９３、ジョブ特定部３９４、ジョブ検出部３９５、報知処理部３９６、順位変更処理部３９７、変更報知部３９８、及び許可要求部３９９を更に含む。具体的に、制御部３９は、前記ＣＰＵを用いて前記ＲＯＭに記憶されている前記報知プログラムを実行する。これにより、制御部３９は、人検出部３９３、ジョブ特定部３９４、ジョブ検出部３９５、報知処理部３９６、順位変更処理部３９７、変更報知部３９８、及び許可要求部３９９として機能する。
【００３７】
人検出部３９３は、画像形成装置３０から予め定められた特定範囲における人の存否を検出する。例えば、人検出部３９３は、前記特定範囲において予め画像形成装置３０に前記端末識別情報が記憶された携帯端末２０が検出された場合に、前記特定範囲において人が存在すると判断する。
【００３８】
例えば、人検出部３９３は、通信部３７を制御してＢｌｕｅｔｏｏｔｈの通信方式に従った制御信号を画像形成装置３０の周囲に送出させて、Ｂｌｕｅｔｏｏｔｈの通信範囲内におけるＢｌｕｅｔｏｏｔｈ通信可能な機器を検出する。そして、人検出部３９３は、検出された機器から取得される前記ペアリングＩＤと、記憶部３８に前記端末識別情報として記憶されている携帯端末２０の前記ペアリングＩＤとが一致する場合に、前記特定範囲において予め画像形成装置３０に前記端末識別情報が記憶された携帯端末２０の存在が検出されたと判断する。ここに、通信部３７により実行されるＢｌｕｅｔｏｏｔｈ通信の通信範囲が、本発明における予め定められた特定範囲の一例である。
【００３９】
また、人検出部３９３は、通信部３７を制御して無線ＬＡＮの通信方式に従った制御信号を画像形成装置３０の周囲に送出させて、無線ＬＡＮの通信範囲内における無線ＬＡＮ通信可能な機器を検出してもよい。この場合、人検出部３９３は、検出された機器から取得される前記ＭＡＣアドレスと、記憶部３８に前記端末識別情報として記憶されている携帯端末２０の前記ＭＡＣアドレスとが一致する場合に、前記特定範囲において予め画像形成装置３０に前記端末識別情報が記憶された携帯端末２０の存在が検出されたと判断する。ここに、通信部３７により実行される無線ＬＡＮ通信の通信範囲が、本発明における予め定められた特定範囲の他の一例である。
【００４０】
なお、人検出部３９３が、人感センサーを用いて前記特定範囲における人の存否を検出する構成が他の実施形態として考えられる。この場合、前記人感センサーによる人の検出範囲が、本発明における予め定められた特定範囲の他の一例である。
【００４１】
ジョブ特定部３９４は、人検出部３９３により人の存在が検出された場合に、記憶部３８に記憶されている前記印刷ジョブのうち、人検出部３９３により検出された人に対応する第１印刷ジョブを特定する。例えば、ジョブ特定部３９４は、人検出部３９３により検出された携帯端末２０に対応付けて予め設定された情報処理装置１０から送信された前記印刷ジョブを前記第１印刷ジョブとして特定する。
【００４２】
例えば、ジョブ特定部３９４は、人検出部３９３により検出された携帯端末２０の前記端末識別情報に対応する情報処理装置１０の前記識別情報を記憶部３８から読み出す。そして、ジョブ特定部３９４は、記憶部３８に記憶されている前記印刷ジョブのうち、送信元の情報処理装置１０の前記識別情報が読み出された前記識別情報と一致する前記印刷ジョブを前記第１印刷ジョブとして特定する。
【００４３】
なお、ジョブ特定部３９４は、人検出部３９３が人感センサーを用いて前記特定範囲における人の存否を検出する前記他の実施形態の場合、印刷処理部３９２による実行中の前記印刷ジョブを前記第１印刷ジョブとして特定することが考えられる。
【００４４】
また、ジョブ特定部３９４は、前記他の実施形態の場合、ユーザー情報を取得する情報取得部を含み、前記情報取得部によって取得される前記ユーザー情報に対応付けて予め設定された情報処理装置１０から送信された前記印刷ジョブを前記第１印刷ジョブとして特定することが考えられる。
【００４５】
例えば、前記他の実施形態に係る画像形成装置３０では、認証処理部３９１により画像形成装置３０にログインするユーザーの前記認証情報に基づいて前記第１印刷ジョブを特定することが考えられる。ここに、認証処理部３９１が、本発明における情報取得部の一例である。また、前記認証情報が、本発明におけるユーザー情報の一例である。
【００４６】
ジョブ検出部３９５は、記憶部３８に記憶されている前記印刷ジョブのうち、ジョブ特定部３９４により特定された前記第１印刷ジョブの送信元の第１情報処理装置と前記グループが同一である一又は複数の第２情報処理装置から送信された第２印刷ジョブの有無を検出する。
【００４７】
例えば、ジョブ検出部３９５は、ジョブ特定部３９４により特定された前記第１印刷ジョブの送信元の前記第１情報処理装置と前記グループが共通する情報処理装置１０の前記識別情報を記憶部３８から読み出す。そして、ジョブ検出部３９５は、記憶部３８に記憶されている前記印刷ジョブのうち、送信元の情報処理装置１０の前記識別情報が読み出された前記識別情報と一致する前記印刷ジョブを前記第２印刷ジョブとして検出する。
【００４８】
一方、印刷処理部３９２は、ジョブ検出部３９５により前記第２印刷ジョブが検出された場合に、前記第２印刷ジョブの実行により出力される印刷物を他の前記印刷ジョブの実行により出力される印刷物と区別可能な態様で出力する。例えば、印刷処理部３９２は、前記第２印刷ジョブの実行により出力される印刷物を、他の前記印刷ジョブの実行により出力される印刷物が排出されるシート排出トレイ３５１とは異なるシート排出トレイ３５１に排出する。
【００４９】
なお、印刷処理部３９２は、前記第２印刷ジョブの実行によりシート排出トレイ３５１に排出される印刷物のシート排出トレイ３５１上における載置位置と、他の前記印刷ジョブの実行によりシート排出トレイ３５１に排出される印刷物のシート排出トレイ３５１上における載置位置とがずれるように、前記第２印刷ジョブの実行により出力される印刷物をシート排出トレイ３５１に排出させてもよい。また、印刷処理部３９２は、前記第２印刷ジョブの実行により出力される印刷物と、他の前記印刷ジョブの実行により出力される印刷物との間に合紙を挿入してもよい。また、印刷処理部３９２は、前記第２印刷ジョブの実行中に、現在実行されている前記印刷ジョブが前記第２印刷ジョブである旨を操作部３６に表示させてもよい。
【００５０】
報知処理部３９６は、ジョブ検出部３９５により前記第２印刷ジョブが検出された場合に、前記第２印刷ジョブの存在を報知する。また、報知処理部３９６は、前記第２印刷ジョブの存在に加えて、前記第２印刷ジョブの実行順序及び前記第２印刷ジョブの送信元の前記第２情報処理装置の前記識別情報を報知する。
【００５１】
なお、報知処理部３９６は、人検出部３９３によって検出された携帯端末２０に前記第２印刷ジョブの実行順序及び前記第２印刷ジョブの送信元の前記第２情報処理装置の前記識別情報を報知してもよい。また、報知処理部３９６は、前記第２印刷ジョブの存在のみを報知してもよい。また、報知処理部３９６は、前記第２印刷ジョブの存在に加えて、前記第２印刷ジョブの実行順序又は前記第２印刷ジョブの送信元の前記第２情報処理装置の前記識別情報を報知してもよい。
【００５２】
例えば、報知処理部３９６は、記憶部３８に記憶されている前記印刷ジョブについて、実行順序、送信元の情報処理装置１０の前記識別情報、及び送信元の情報処理装置１０に対応する前記グループの名称情報を含む表示画面を操作部３６に表示させる。
【００５３】
順位変更処理部３９７は、ジョブ検出部３９５により検出された一又は複数の前記第２印刷ジョブの実行順序を、前記第１印刷ジョブの前又は後に連続して実行される順位に変更することが可能である。例えば、順位変更処理部３９７は、前記第２印刷ジョブの実行順序の変更の有無を、ユーザー操作に応じて切替可能である。
【００５４】
変更報知部３９８は、順位変更処理部３９７により前記第２印刷ジョブの実行順序が変更された場合に、前記第２印刷ジョブの送信元の前記第２情報処理装置に前記第１印刷ジョブの送信元の前記第１情報処理装置の前記識別情報を報知する。
【００５５】
許可要求部３９９は、ジョブ検出部３９５により検出された前記第２印刷ジョブが前記親展印刷ジョブである場合に、ユーザー操作に応じて前記親展印刷ジョブの送信元の前記第２情報処理装置に前記第１印刷ジョブの送信元の前記第１情報処理装置の前記識別情報を報知すると共に、前記親展印刷ジョブの実行許可を要求する。
【００５６】
一方、印刷処理部３９２は、前記第２情報処理装置から前記親展印刷ジョブの実行許可を取得した場合は、前記親展印刷ジョブを実行する。即ち、前記実行条件には、許可要求部３９９による前記親展印刷ジョブの実行許可の取得が含まれる。
【００５７】
［報知処理］
以下、図４を参照しつつ、画像形成装置３０において制御部３９により実行される報知処理の手順の一例について説明する。ここで、ステップＳ１、Ｓ２・・・は、制御部３９により実行される処理手順（ステップ）の番号を表している。なお、前記報知処理は、制御部３９の印刷処理部３９２により前記印刷ジョブが実行される場合に実行される。ここに、制御部３９の印刷処理部３９２による前記印刷ジョブを実行する処理が、本発明における第１ステップの一例である。
【００５８】
＜ステップＳ１＞
まず、ステップＳ１において、制御部３９は、前記特定範囲において人の存在が検出されたか否かを判断する。ここに、ステップＳ１の処理が、本発明における第２ステップの一例であって、制御部３９の人検出部３９３により実行される。
【００５９】
例えば、制御部３９は、前記特定範囲において予め画像形成装置３０に前記端末識別情報が記憶された携帯端末２０が検出された場合に、前記特定範囲において人が存在すると判断する。
【００６０】
例えば、制御部３９は、通信部３７を制御してＢｌｕｅｔｏｏｔｈの通信方式に従った制御信号を画像形成装置３０の周囲に送出させて、Ｂｌｕｅｔｏｏｔｈの通信範囲内におけるＢｌｕｅｔｏｏｔｈ通信可能な機器を検出する。そして、制御部３９は、検出された機器から取得される前記ペアリングＩＤと、記憶部３８に前記端末識別情報として記憶されている携帯端末２０の前記ペアリングＩＤとが一致する場合に、前記特定範囲において予め画像形成装置３０に前記端末識別情報が記憶された携帯端末２０の存在が検出されたと判断する。
【００６１】
ここで、制御部３９は、前記特定範囲において人の存在が検出されたと判断すると（Ｓ１のＹｅｓ側）、処理をステップＳ２に移行させる。また、前記特定範囲において人の存在が検出されていなければ（Ｓ１のＮｏ側）、制御部３９は、ステップＳ１で前記特定範囲における人の存在の検出を待ち受ける。
【００６２】
＜ステップＳ２＞
ステップＳ２において、制御部３９は、記憶部３８に記憶されている前記印刷ジョブのうち、ステップＳ１により検出された人に対応する前記第１印刷ジョブを特定する。ここに、ステップＳ２の処理が、本発明における第３ステップの一例であって、制御部３９のジョブ特定部３９４により実行される。
【００６３】
例えば、制御部３９は、ステップＳ１により検出された携帯端末２０に対応付けて予め設定された情報処理装置１０から送信された前記印刷ジョブを前記第１印刷ジョブとして特定する。
【００６４】
例えば、制御部３９は、ステップＳ１により検出された携帯端末２０の前記ペアリングＩＤに対応する情報処理装置１０の前記識別情報を記憶部３８から読み出す。そして、制御部３９は、記憶部３８に記憶されている前記印刷ジョブのうち、送信元の情報処理装置１０の前記識別情報が読み出された前記識別情報と一致する前記印刷ジョブを前記第１印刷ジョブとして特定する。
【００６５】
＜ステップＳ３＞
ステップＳ３において、制御部３９は、記憶部３８に記憶されている前記印刷ジョブのうち、ステップＳ２により特定された前記第１印刷ジョブの送信元の第１情報処理装置と前記グループが同一である一又は複数の第２情報処理装置から送信された第２印刷ジョブの有無を検出する。ここに、ステップＳ３の処理が、本発明における第４ステップの一例であって、制御部３９のジョブ検出部３９５により実行される。
【００６６】
例えば、制御部３９は、ステップＳ２により特定された前記第１印刷ジョブの送信元の前記第１情報処理装置と前記グループが共通する情報処理装置１０の前記識別情報を記憶部３８から読み出す。そして、制御部３９は、記憶部３８に記憶されている前記印刷ジョブのうち、送信元の情報処理装置１０の前記識別情報が読み出された前記識別情報と一致する前記印刷ジョブを前記第２印刷ジョブとして検出する。
【００６７】
＜ステップＳ４＞
ステップＳ４において、制御部３９は、ステップＳ３により検出された前記第２印刷ジョブの存在、前記第２印刷ジョブの実行順序、及び前記第２印刷ジョブの送信元の前記第２情報処理装置の前記識別情報を報知する。ここに、ステップＳ４の処理が、本発明における第５ステップの一例であって、制御部３９の報知処理部３９６により実行される。
【００６８】
これにより、印刷物を回収するために画像形成装置３０の設置位置まで移動したユーザーに、自分と同じグループに所属する人の前記印刷ジョブ（前記第２印刷ジョブ）の存在を認識させることが可能となる。従って、前記ユーザーは、前記第２印刷ジョブの実行終了を待って、前記第２印刷ジョブの実行により出力される印刷物を回収することが可能となる。
【００６９】
また、前記第２印刷ジョブの実行順序が報知されることで、前記ユーザーは、前記第２印刷ジョブが実行されるまでの間の大まかな待ち時間を認識することが可能である。また、前記第２印刷ジョブの送信元の前記第２情報処理装置の前記識別情報が報知されることで、前記ユーザーは、前記第２印刷ジョブが同じグループに属するどの人物により送信されたのかを認識することが可能である。
【００７０】
例えば、制御部３９は、記憶部３８に記憶されている前記印刷ジョブについて、実行順序、送信元の情報処理装置１０の前記識別情報、及び送信元の情報処理装置１０に対応する前記グループの名称情報を含む表示画面を操作部３６に表示させる。
【００７１】
ここで、ステップＳ４で操作部３６に表示される表示画面の一例を図４に示す。なお、図４では、記憶部３８に１つの前記親展印刷ジョブを含む４つの前記印刷ジョブが記憶されており、ステップＳ２により現在実行中の前記印刷ジョブが前記第１印刷ジョブに特定された場合の表示画面の一例が示されている。
【００７２】
図４に示す表示画面Ａ１０は、メッセージ表示欄Ａ１１、ジョブリスト表示欄Ａ１２、操作キーＡ１３〜Ａ１４を有する。メッセージ表示欄Ａ１１には、ユーザーへのメッセージが表示される。ジョブリスト表示欄Ａ１２には、記憶部３８に記憶されている前記印刷ジョブについて、実行順序、送信元の情報処理装置１０の前記識別情報、及び送信元の情報処理装置１０に対応する前記グループの名称情報が表示される。なお、ユーザーは、ジョブリスト表示欄Ａ１２内をスワイプ操作することで、ジョブリスト表示欄Ａ１２内の表示内容を上下方向にスクロールさせることが可能である。
【００７３】
操作キーＡ１３〜Ａ１４は、ステップＳ３により検出された一又は複数の前記第２印刷ジョブの実行順序を、前記第１印刷ジョブの後に連続して実行される順位に変更するか否かを選択可能な操作キーである。
【００７４】
ところで、ステップＳ３の処理が実行されて前記第２印刷ジョブが検出されると、制御部３９は、前記第２印刷ジョブの実行により出力される印刷物を他の前記印刷ジョブの実行により出力される印刷物と区別可能な態様で出力する。例えば、制御部３９は、前記第２印刷ジョブの実行により出力される印刷物を、他の前記印刷ジョブの実行により出力される印刷物が排出されるシート排出トレイ３５１とは異なるシート排出トレイ３５１に排出する。
【００７５】
これにより、前記第１印刷ジョブの実行により出力される印刷物に加えて、前記第２印刷ジョブの実行により出力される印刷物を合わせて回収するユーザーは、画像形成装置３０から出力される印刷物のうち、前記第２印刷ジョブの実行により出力される印刷物を識別することが可能である。
【００７６】
＜ステップＳ５＞
ステップＳ５において、制御部３９は、前記第２印刷ジョブの実行順序の変更を指示する旨のユーザー操作が行われたか否かを判断する。
【００７７】
例えば、制御部３９は、表示画面Ａ１０において操作キーＡ１３が操作された場合に、前記第２印刷ジョブの実行順序の変更を指示する旨のユーザー操作が行われたと判断する。一方、制御部３９は、表示画面Ａ１０において操作キーＡ１４が操作された場合には、前記第２印刷ジョブの実行順序の変更を指示する旨のユーザー操作は行われないと判断する。
【００７８】
ここで、制御部３９は、前記第２印刷ジョブの実行順序の変更を指示する旨のユーザー操作が行われたと判断すると（Ｓ５のＹｅｓ側）、処理をステップＳ６に移行させる。また、前記第２印刷ジョブの実行順序の変更を指示する旨のユーザー操作が行われなければ（Ｓ５のＮｏ側）、制御部３９は、処理をステップＳ８に移行させる。
【００７９】
＜ステップＳ６＞
ステップＳ６において、制御部３９は、ステップＳ３により検出された一又は複数の前記第２印刷ジョブの実行順序を、前記第１印刷ジョブの後に連続して実行される順位に変更する。ここで、ステップＳ６の処理は、制御部３９の順位変更処理部３９７により実行される。
【００８０】
これにより、前記第１印刷ジョブの実行により出力される印刷物に加えて、前記第２印刷ジョブの実行により出力される印刷物も合わせて回収するユーザーにおいて、前記第２印刷ジョブの実行が終了するまでの待ち時間を短縮させることが可能である。
【００８１】
また、前記第２印刷ジョブの実行順序の変更の有無をユーザー操作に応じて切り替えることで、ユーザーが前記第２印刷ジョブの実行により出力される印刷物を回収する意思がない場合にまで、前記印刷ジョブの実行順位が変更されることが回避される。
【００８２】
例えば、制御部３９は、ステップＳ６の処理の実行後に、前記印刷ジョブ各々の実行順序を示す表示画面を操作部３６に表示させる。
【００８３】
ここで、ステップＳ６の処理の実行後に操作部３６に表示される表示画面の一例を図５に示す。図５に示す表示画面Ａ２０は、メッセージ表示欄Ａ２１、ジョブリスト表示欄Ａ２２、操作キーＡ２３を有する。メッセージ表示欄Ａ２１には、メッセージ表示欄Ａ１１と同様にユーザーへのメッセージが表示される。操作キーＡ２３は、表示画面Ａ２０の表示の終了に用いられる操作キーである。
【００８４】
ジョブリスト表示欄Ａ２２には、ステップＳ６の処理の実行後の前記印刷ジョブ各々の実行順序が表示される。具体的に、図４及び図５に示す例では、前記第１印刷ジョブに特定された実行中の前記印刷ジョブと同じグループに属する３番目に実行される前記印刷ジョブの実行順序が、前記第１印刷ジョブの後に連続して実行される順位である２番目に変更されている。送信元Ｄから送信された前記印刷ジョブ（前記親展印刷ジョブ）については、実行順位の変更は行われない。
【００８５】
＜ステップＳ７＞
ステップＳ７において、制御部３９は、前記第２印刷ジョブの送信元の前記第２情報処理装置に、前記第１印刷ジョブの送信元の前記第１情報処理装置の前記識別情報を報知する。ここで、ステップＳ７の処理は、制御部３９の変更報知部３９８により実行される。
【００８６】
これにより、前記第２印刷ジョブの送信元の前記第２情報処理装置のユーザーは、自分に替わって自分の印刷物を回収する可能性のある他者を識別することが可能である。
【００８７】
＜ステップＳ８＞
ステップＳ８において、制御部３９は、記憶部３８に記憶されている前記印刷ジョブに前記親展印刷ジョブが含まれているか否かを判断する。
【００８８】
ここで、制御部３９は、前記印刷ジョブに前記親展印刷ジョブが含まれていると判断すると（Ｓ８のＹｅｓ側）、処理をステップＳ９に移行させる。また、前記印刷ジョブに前記親展印刷ジョブが含まれていなければ（Ｓ８のＮｏ側）、制御部３９は、処理をステップＳ１０に移行させる。
【００８９】
＜ステップＳ９＞
ステップＳ９において、制御部３９は、前記親展印刷ジョブの送信元の前記第２情報処理装置に対する前記親展印刷ジョブの実行許可の要求を行う旨のユーザー操作が行われたか否かを判断する。
【００９０】
例えば、制御部３９は、ステップＳ８の処理の実行後に、前記親展印刷ジョブの送信元の前記第２情報処理装置に対する前記親展印刷ジョブの実行許可の要求を行うか否かを切替可能な表示画面を操作部３６に表示させる。
【００９１】
ここで、ステップＳ８の処理の実行後に操作部３６に表示される表示画面の一例を図６に示す。図６に示す表示画面Ａ３０は、メッセージ表示欄Ａ３１、ジョブリスト表示欄Ａ３２、操作キーＡ３３〜３４を有する。メッセージ表示欄Ａ２１には、メッセージ表示欄Ａ１１と同様にユーザーへのメッセージが表示される。また、ジョブリスト表示欄Ａ３２の表示内容は、ジョブリスト表示欄Ａ２２と同一である。操作キーＡ３３〜Ａ３４は、前記親展印刷ジョブの送信元の前記第２情報処理装置に対する前記親展印刷ジョブの実行許可の要求を行うか否かの切り替えに用いられる操作キーである。
【００９２】
例えば、制御部３９は、表示画面Ａ３０において操作キーＡ３３が操作された場合に、前記親展印刷ジョブの送信元の前記第２情報処理装置に対する前記親展印刷ジョブの実行許可の要求を行う旨のユーザー操作が行われたと判断する。一方、制御部３９は、表示画面Ａ３０において操作キーＡ３４が操作された場合には、前記親展印刷ジョブの送信元の前記第２情報処理装置に対する前記親展印刷ジョブの実行許可の要求を行わない旨のユーザー操作が行われたと判断する。
【００９３】
ここで、制御部３９は、前記親展印刷ジョブの実行許可の要求を行う旨のユーザー操作が行われたと判断すると（Ｓ９のＹｅｓ側）、処理をステップＳ９１に移行させる。また、前記親展印刷ジョブの実行許可の要求を行う旨のユーザー操作が行われなければ（Ｓ９のＮｏ側）、制御部３９は、処理をステップＳ１０に移行させる。
【００９４】
＜ステップＳ１０＞
ステップＳ１０において、制御部３９は、前記特定範囲においてステップＳ１で検出された人の不存在を検出したか否かを判断する。例えば、制御部３９は、ステップＳ１により検出された携帯端末２０との間の通信が断絶した場合に、前記特定範囲においてステップＳ１で検出された人の不存在を検出したと判断する。ここで、ステップＳ１０の処理は、制御部３９の人検出部３９３により実行される。
【００９５】
ここで、制御部３９は、前記特定範囲においてステップＳ１で検出された人の不存在を検出したと判断すると（Ｓ１０のＹｅｓ側）、処理をステップＳ１に移行させる。また、前記特定範囲においてステップＳ１で検出された人の不存在を検出していなければ（Ｓ１０のＮｏ側）、制御部３９は、ステップＳ１０で前記特定範囲におけるステップＳ１で検出された人の不存在の検出を待ち受ける。
【００９６】
＜ステップＳ９１＞
ステップＳ９１において、制御部３９は、前記親展印刷ジョブの送信元の前記第２情報処理装置に前記第１印刷ジョブの送信元の前記第１情報処理装置の前記識別情報を報知すると共に、前記親展印刷ジョブの実行許可を要求する。ここで、ステップＳ９１の処理は、制御部３９の許可要求部３９９により実行される。
【００９７】
これにより、前記親展印刷ジョブの実行許可を要求された情報処理装置１０のユーザーは、前記親展印刷ジョブの実行により出力される印刷物を自分に替わって回収する人物を認識した上で、前記親展印刷ジョブの実行を許可するか否かを判断することが可能である。
【００９８】
画像形成装置３０から前記親展印刷ジョブの実行許可の要求を受信した前記第２情報処理装置では、ユーザー操作に応じて前記親展印刷ジョブの実行許可又は実行不許可が画像形成装置３０に送信される。
【００９９】
＜ステップＳ９２＞
ステップＳ９２において、制御部３９は、前記特定範囲においてステップＳ１で検出された人の不存在を検出したか否かを判断する。ここで、ステップＳ９２の処理は、制御部３９の人検出部３９３により実行される。
【０１００】
ここで、制御部３９は、前記特定範囲においてステップＳ１で検出された人の不存在を検出したと判断すると（Ｓ９２のＹｅｓ側）、処理をステップＳ１に移行させる。また、前記特定範囲においてステップＳ１で検出された人の不存在を検出していなければ（Ｓ９２のＮｏ側）、制御部３９は、処理をステップＳ９３に移行させる。
【０１０１】
＜ステップＳ９３＞
ステップＳ９３において、制御部３９は、ステップＳ９１による前記親展印刷ジョブの実行許可の要求に対する前記第２情報処理装置からの応答を受信したか否かを判断する。
【０１０２】
ここで、制御部３９は、前記第２情報処理装置からの応答を受信したと判断すると（Ｓ９３のＹｅｓ側）、処理をステップＳ９４に移行させる。また、前記第２情報処理装置からの応答を受信していなければ（Ｓ９３のＮｏ側）、制御部３９は、処理をステップＳ９２に移行させて、前記特定範囲におけるステップＳ１で検出された人の不存在の検出又は前記第２情報処理装置からの応答の受信を待ち受ける。
【０１０３】
＜ステップＳ９４＞
ステップＳ９４において、制御部３９は、前記第２情報処理装置からの応答が前記親展印刷ジョブの実行許可であるか否かを判断する。
【０１０４】
ここで、制御部３９は、前記第２情報処理装置からの応答が前記親展印刷ジョブの実行許可であると判断すると（Ｓ９４のＹｅｓ側）、処理をステップＳ９５に移行させる。また、前記第２情報処理装置からの応答が前記親展印刷ジョブの実行許可でなければ（Ｓ９４のＮｏ側）、制御部３９は、処理をステップＳ１０に移行させる。
【０１０５】
＜ステップＳ９５＞
ステップＳ９５において、制御部３９は、ステップＳ９４で実行が許可された前記親展印刷ジョブを実行する。
【０１０６】
このように、通信システム１００では、画像形成装置３０から予め定められた前記特定範囲における人の存在が検出された場合に、検出された人に対応する前記第１印刷ジョブが特定され、特定された前記第１印刷ジョブに基づいて前記第２印刷ジョブの有無が検出されて、前記第２印刷ジョブの存在が検出された場合に、前記第２印刷ジョブの存在が報知される。これにより、前記第１印刷ジョブの実行により出力される印刷物を回収するユーザーは、前記第２印刷ジョブの実行終了を待って、前記第２印刷ジョブの実行により出力される印刷物を回収することが可能となる。従って、印刷物を回収するユーザーの手間が低減される。
【図１】
2017057343.tif 000003
【図２】
2017057343.tif 000004
【図３】
2017057343.tif 000005
【図４】
2017057343.tif 000006
【図５】
2017057343.tif 000007
【図６】
2017057343.tif 000008
【国際調査報告】
2017057343.tif 000009
2017057343.tif 000010
2017057343.tif 000011
2017057343.tif 000012